(57)【要約】      （修正有）【課題】目元マッサージ器の構造に関し、特に目元に冷熱パックをすることで、血液循環を促進し、素晴らしい放熱効果を具有する目元マッサージ器の構造を提供する。【解決手段】主に目元冷熱パック装置１、温度コントロールタンクおよびヘッドバンド１５で構成する目元マッサージ器の構造である。目元冷熱パック装置に含まれるのは水袋１１、冷熱伝導部品１２、冷却部品１３および排水放熱部品であり、冷熱伝導部品は水袋と設置し、冷却部品は冷熱伝導部品と設置し、排水放熱部品を冷却部品および水袋に貼合し、且つ温度コントロールタンクと循環するよう設置する。温度コントロールタンクに少なくとも一つの温度コントロールユニットを設置し、排水放熱部品内にある液体の温度を冷却する。排水放熱部品内にある冷水を調節することで、排水放熱部品と冷却部品が冷熱を伝導し、冷却部品の放熱効果を加速する。【選択図】図１
0003186317.tif 000002
【実用新案登録請求の範囲】
【請求項１】
目元冷熱パック装置、温度コントロールタンクおよびヘッドバンドを含み、
該目元冷熱パック装置に含まれるのは水袋、冷熱伝導部品、冷却部品および排水放熱部品であり、該水袋の内側は人体の眼部に覆い、別側は冷熱伝導部品を貼合し、該冷却部品１３は冷熱伝導部品を挟んだ水袋と反対側に設置し、該排水放熱部品を冷却部品および水袋に貼合し、該温度コントロールタンクと循環するよう設置し、
該温度コントロールタンクに少なくとも一つの温度コントロールユニットを設置し、排水放熱部品内にある液体の温度を冷却し、
該ヘッドバンドは目元冷熱パック装置と接続し、且つヘッドバンドは人体の頭部を囲んで設置し、
それにより、冷却部品が冷熱伝導部品に対して冷却或いは加熱などの温度コントロールを通じて、冷熱伝導部品が水袋内部にある液体に対して温度調節を行うことができ、それによって水袋がホットパックおよび冷パックの効果を具有して目元の疲労を和らげ、更に排水放熱部品内の冷水の調節により、排水放熱部品と冷却部品が冷熱伝導を行い、冷却部品の放熱効果を加速することを特徴とする目元マッサージ器の構造。
【請求項２】
前記目元冷熱パック装置は更にプロテクトケースを含み、該プロテクトケースに水袋を設置し、且つ排水放熱部品、冷熱伝導部品および冷却部品はプロテクトケースと水袋の間に位置し、該排水放熱部品の末端はプロテクトケースの片側を通ることを特徴とする請求項１記載の目元マッサージ器の構造。
【請求項３】
更に水袋の外表面に二つの振動モーターを設置し、更に二つの導熱シートを含み、各導熱シートを冷却部品に設置し、且つ冷熱伝導部品および水袋と接触することを特徴とする請求項１記載の目元マッサージ器の構造。
【請求項４】
前記ヘッドバンドは第一バンドおよび第二バンドを含み、該第一、第二バンドをプロテクトケースの両サイドに設置し、第一バンドの末端に一つのオス部品、第二バンドのオス部品に対応する場所に一つのメス部品を設置し、オス部品およびメス部品は互いに嵌合し、且つプロテクトケースの側面でコイル状態を形成し、該オス部品およびメス部品はマジックテープ（登録商標）を使用することを特徴とする請求項２記載の目元マッサージ器の構造。
【請求項５】
前記温度コントロールタンク内は貯水室および放熱室に分け、該排水放熱部品は伝導体および排水管を含み、該伝導体は排水管を套設し、且つ排水管の末端は伝導体、プロテクトケースから温度コントロールタンクまで通し、且つ貯水室内の水と循環する状態を保ち、排水管は放熱室内では蛇腹状に撓んで設置することを特徴とする請求項１記載の目元マッサージ器の構造。
【請求項６】
前記温度コントロールタンクは更に貯水室の上方を一つの収納室および収納室と放熱室を閉じる蓋に区切り、該収納室の底部は、目元冷熱パック装置に対応して一つのアーチ面を設け、目元冷熱パック装置を収納室内に収納することができ、温度コントロールタンクの周りに、放熱室の位置に対応して数個の排気孔を設け、該温度コントロールユニットはファンであり、排水放熱部品が放熱室内の放熱速度を速めるために、更に一つのポンプを設置することを特徴とする請求項５記載の目元マッサージ器の構造。
【考案の詳細な説明】
【技術分野】
【０００１】
本考案の目元マッサージ器の構造に関し、特に目元に冷熱パックをすることで、血液循環を促進し、素晴らしい放熱効果を具有する目元マッサージ器の構造に関する。
【背景技術】
【０００２】
テクノロジーが発展するのにつれ、コンピューターはもはや生活必需品となっている。仕事、娯楽、資料を調べるおよび読書などに限らず、多くの人がコンピューターとタブレットパソコンやスマートホーンなどの電子機器に頼り、電子機器とスマートホーンは次第に従来のペーパー類のものと徐々に置き換えられていった。目を長期的に使用した後に疲れを感じやすく、更に現代人は長期的にコンピューターを使うことで、目の疲労感は更に加速しやすく、目は常に乾きや痛みおよび充血する状態を引き起こす。
【０００３】
市場には、目をリラックスさせる目薬や、マッサージ効果のあるアイマスクなど、目の疲労感を改善する商品がある。下記に本考案者が申請した特許案、中華民国公知の特許申請案第Ｍ３８６８９２号の「目元マッサージ器」を紹介する。それに含まれるのは一つのヘッドバンドおよびヘッドバンドに設置する目元冷熱パック装置である。該目元冷熱パック装置に含まれるのは一つの水袋、一つの冷熱伝導部品、一つの半導体電子冷却部品である。当該水袋は人体の目の部位を覆って使用するために使われ、該水袋には冷熱伝導部品を内部に挿入するための開口を設ける。該半導体電子冷却部品を冷熱伝導部品に設置する。該目元冷熱パック装置に含まれるのは放熱部品に設置する冷却部品であり、該冷却部品に含まれるのは、放熱ブロックに対応するスタンドと、スタンドと共に設置して放熱ブロックの冷却を行うファンである。
【０００４】
考案者の前案技術は半導体電子冷却部品を使って、冷熱伝導部品に対して冷却或いは加熱などの温度コントロールを行っていた。該冷熱伝導部品は水袋内部にある液体の温度を調節することができ、水袋にホットパック、冷パックなどの効果を持たせることで、目元の疲労感を有効的に緩和する。しかし、前案の技術は補助としてファンを使って半導体電子冷却部品の放熱を行うのみで、ファンのデザインでは、周りの熱い空気と冷たい空気の対流を早めるだけであり、放熱効果に限りがあることを鑑みて、電子冷却部品が更に迅速且つ有効的に放熱し、電子冷却部品が安定して作動できるよう、更なる改善をする必要があった。
【先行技術文献】
【特許文献】
【０００５】
【特許文献１】特開２０１２−３４７５３号公報
【考案の概要】
【考案が解決しようとする課題】
【０００６】
前記公知構造の欠点を解決するため、本考案の第１の目的は、冷却部品の迅速な放熱を行うことで、冷却部品が安定して作動できる目元マッサージ器の構造を提供することにある。
【０００７】
本考案の第２の目的は、冷熱調節をすることができ、目元に冷熱パックをすることで、目の疲労感を和らげる目元マッサージ器の構造を提供することにある。
【課題を解決するための手段】
【０００８】
上述の目的を解決するために、本考案は目元マッサージ器の構造を提供するものである。それに含まれるのは目元冷熱パック装置および、温度コントロールタンク、ヘッドバンドである。該目元冷熱パック装置に含まれるのは水袋、冷熱伝導部品、冷却部品および排水放熱部品である。該水袋の内側は人体の眼部に覆い、別側は冷熱伝導部品を貼合する。該冷却部品は冷熱伝導部品を挟んだ水袋と反対側に設置する。該排水放熱部品を冷却部品および水袋に貼合し、該温度コントロールタンクと循環するよう設置する。該温度コントロールタンクに少なくとも一つの温度コントロールユニットを設置し、排水放熱部品内にある液体の温度を冷却する。該ヘッドバンドは目元冷熱パック装置と接続し、且つヘッドバンドは人体の頭部を囲んで設置する。それにより、冷却部品が冷熱伝導部品に対して冷却或いは加熱などの温度コントロールを通じて、冷熱伝導部品が水袋内部にある液体に対して温度調節を行うことができ、それによって水袋がホットパックおよび冷パックの効果を具有して目元の疲労を和らげる。更に排水放熱部品内の冷水の調節により、排水放熱部品と冷却部品が冷熱伝導を行い、冷却部品の放熱効果を加速する。
【０００９】
本考案の目元冷熱パック装置は更にプロテクトケースを含み、該プロテクトケースに水袋を設置し、且つ排水放熱部品、冷熱伝導部品および冷却部品はプロテクトケースと水袋の間に位置する。該排水放熱部品の末端はプロテクトケースの片側を通る。
【００１０】
本考案は更に水袋の外表面に二つの振動モーターを設置し、更に二つの導熱シートを含み、各導熱シートを冷却部品に設置し、且つ冷熱伝導部品および水袋と接触する。
【００１１】
本考案のヘッドバンドは第一バンドおよび第二バンドを含み、該第一、第二バンドをプロテクトケースの両サイドに設置し、第一バンドの末端に一つのオス部品、第二バンドのオス部品に対応する場所に一つのメス部品を設置する。オス部品およびメス部品は互いに嵌合し、且つプロテクトケースの側面でコイル状態を形成する。該オス部品およびメス部品はマジックテープ（登録商標）を使用している。
【００１２】
本考案の温度コントロールタンク内は貯水室および放熱室に分ける。該排水放熱部品は伝導体および排水管を含み、該伝導体は排水管を套設し、且つ排水管の末端は伝導体、プロテクトケースから温度コントロールタンクまで通し、且つ貯水室内の水と循環する状態を保つ。排水管は放熱室内では蛇腹状に撓んで設置し、温度コントロールタンクの周りに、放熱室の位置に対応して数個の排気孔を設ける。
【００１３】
該温度コントロールタンクは更に貯水室の上方を一つの収納室および収納室と放熱室を閉じる蓋に区切る。該収納室の底部は、目元冷熱パック装置に対応して一つのアーチ面を設け、目元冷熱パック装置を収納室内に収納することができる。
【００１４】
本考案の温度コントロールタンクは更に貯水室の上方を一つの収納室および収納室と放熱室を閉じる蓋に区切る。該収納室の底部は、目元冷熱パック装置に対応して一つのアーチ面を設け、目元冷熱パック装置を収納室内に収納することができる。該温度コントロールユニットはファンであり、排水放熱部品が放熱室内の放熱速度を速めるために、更に一つのポンプを設置し、排水放熱部品と接続する。
【考案の効果】
【００１５】
本考案は目元冷熱パック装置、温度コントロールタンクを設置し、目元冷熱パック装置に含まれる水袋、冷熱伝導部品、冷却部品および排水放熱部品が、温度コントロールタンクと循環するよう設置することで、温度コントロールタンク内にある温度コントロールユニットが排水放熱部品内にある液体の温度を冷却する。排水放熱部品内にある冷水を調節することで、排水放熱部品と冷却部品が冷熱を伝導し、冷却部品の放熱効果を加速する。
【図面の簡単な説明】
【００１６】
【図１】本考案の目元冷熱パック装置の立体図である。
【図２】本考案の目元冷熱パック装置の排水放熱部品の透視図である。
【図３】本考案の目元冷熱パック装置の水袋および振動モーターの透視図である。
【図４】本考案の目元冷熱パック装置の俯瞰図である。
【図５】本考案の目元冷熱パック装置と組み立てるタンクの局部断面図である。
【図６】本考案の冷熱パック装置を収納ボックスに収納する立体略図である。
【図７】本考案の温度コントロールタンクの立体図である。
【図８】図７Ａ−Ａラインの断面図である。
【考案を実施するための形態】
【００１７】
本考案が前記目的と効果に達するために使用する技術手段と構造を、図面を参照しながら詳細に説明する。
【実施例】
【００１８】
図１から図５に示すのは、本考案の目元マッサージ器である。それに含まれるのは目元冷熱パック装置１および、温度コントロールタンク２である。該目元冷熱パック装置１に含まれるのは水袋１１、冷熱伝導部品１２、冷却部品１３、排水放熱部品１４およびヘッドバンド１５である。該水袋１１の内側は人体の眼部に覆い、別側は冷熱伝導部品１２を貼合する。本実施例では、該水袋１１は溝状の表面を形成することで、冷熱伝導部品１２を内側に錠止定位する。冷熱伝導部品１２は良好な熱伝導材質で作られ、該冷却部品１３は半導体電子冷却部品であり、冷却部品は冷熱伝導部品１２を挟んだ水袋１１の反対側に設置する。該排水放熱部品１４(銅管とすることができる)は冷却部品１３および水袋１１と共に設置して温度コントロールタンク２と接続し、且つ該温度コントロールタンク２と循環するよう設置する。該温度コントロールタンク２の内側に少なくとも一つの温度コントロールユニット２１(本実施例では二つの温度コントロールユニット２１を設置)を設置し、排水放熱部品１４内にある液体の温度を冷却する。
【００１９】
よって、冷却部品１３は水袋１１の温度を調整することで、水袋１１が適切な温度を眼部に伝導し、目の疲労感を和らげる。更に冷却部品１３を過度に使用した後は、容易に大量の熱を溜め込み、それにより冷却部品１３全体が高温な状態になり、冷却部品１３の作動効率にも影響を及ぼす。この場合は、排水放熱部品１４内にある低温水によって、排水放熱部品１４を低温状態に保たせることができる。更に排水放熱部品１４と冷却部品１３が熱の伝導を行うことにより、有効的に冷却部品１３の放熱速度を速めることで、冷却部品１３の作動効率を維持することができる。
【００２０】
本考案のメリットは、排水システム１４にある水温が低温状態を保つことができ、低温水によって排水放熱部品１４が低温状態を保ち、且つ冷却部品１３と熱伝導を行うことで、放熱効果に達する。排水システム１４にある水は絶えず循環するため、熱伝導した後の水が温度コントロールタンク２内に戻り、更に温度コントロールタンク２内の温度コントロールユニット２１によって水の温度を一定にすることで、ベストな放熱効果に達する。(以上は本考案の主な実施例の主な技術特徴であり、本考案の請求項１に対応する内容である。本考案の目的および実施形態に熟知し、その他の申請項目にて述べる技術特徴は、請求項１の内容の追加記述或いは付加技術の特徴であり、請求項１の範囲を制限するものではない。本考案の請求項１は必ずしも他の請求項にて述べる技術特徴を含むとは限らない。)
【００２１】
図１から図４を参照し、更に詳しく目元冷熱パック装置１の細部構造を説明する。目元冷熱パック装置１は更にプロテクトケース１６を含み、該プロテクトケース１６に水袋１１を設置し、且つ排水放熱部品１４、冷熱伝導部品１２および冷却部品１３はプロテクトケース１６と水袋１１の間に位置する。該排水放熱部品１４の末端はプロテクトケース１６の片側を通し、該水袋１１は目元の快適感を与え、該プロテクトケース１６は排水放熱部品１４、冷熱伝導部品１２、冷却部品１３および水袋１１を守り、容易く外力によって破壊される状況を避ける。
【００２２】
また、更に水袋１１の外表面に二つの振動モーター１７を設置し、二つの振動モーター１７は一本の導線１７１で電気接続する。更に二つの導熱シート１８を含み、各導熱シート１８を冷却部品１３に設置し、且つ水袋１１および冷熱伝導部品１２と接触することで、目元を冷熱パックする同時に、該二つの振動モーター１７が生じる振動効果が目元にマッサージを行うことができる。導熱シート１８がアルミ合金の材質であることで、冷却部品１３と水袋１１との間の冷熱伝導効果を早める。
【００２３】
この他、図１に示すように、該ヘッドバンド１５は第一バンド１５および第二バンド１５２を含み、該第一、第二バンド１５１、１５２をプロテクトケース１６の両サイドに設置し、第一バンド１５１の末端に一つのオス部品１５１１、第二バンド１５２のオス部品１５１１に対応する場所に一つのメス部品１５２１を設置する。オス部品１５１１およびメス部品１５２１は互いに嵌合し、且つプロテクトケース１６の側面でコイル状態を形成する。第一バンド１５１および第二バンド１５２を使って頭部を囲んで固定することができる。本実施例の該オス部品１５１１およびメス部品１５２１はマジックテープ（登録商標）を使用している。
【００２４】
図１、図５から図８に示すように、該温度コントロールタンク２内は貯水室２２および放熱室２３に分ける。該排水放熱部品１４は伝導体１４１および排水管１４２を含み、該伝導体１４１は排水管１４２を套設し、且つ排水管１４２の末端は伝導体１４、プロテクトケース１６から温度コントロールタンクまで通し、且つ貯水室２２内の水と循環する状態を保つ。排水管１４２は放熱室２３内では蛇腹状に撓んで設置している。温度コントロールタンク２は更に貯水室２２の上方を一つの収納室２４および収納室２４と放熱室２３を閉じる蓋２５に区切る。また、ユーザーが持ち運べるよう、蓋２５の上方に一つのハンドル２５１を設ける。該収納室２４の底部は、目元冷熱パック装置１に対応して一つのアーチ面２４１を設け、目元冷熱パック装置１を収納室２４内に収納することができる。
【００２５】
該温度コントロールユニット２１はファンである。図５に示すように、該温度コントロールユニット２１は排水放熱部品１４に向けているため、排水放熱部品１４が放熱室２３内の放熱速度を速める。ファンを使って冷たい空気を排水放熱部品１４に送り、且つ排水放熱部品１４の撓みデザインにより、ファンが排水放熱部品１４を放熱する面積が増えるなど、排水放熱部品１４内の液体を低温状態に保つことで、冷却部品１３の放熱効果を加速する。更に一つのポンプ１９を排水放熱部品１４に接続し、ポンプ１９を用いて排水放熱部品１４内の液体を循環させる。更に図７、図８に示すように、温度コントロールタンク２の周りに、放熱室２３の位置に対応して数個の排気孔２６を設けることで、温度コントロールタンク２の内外の気体が対流する速度を速めることで、すばやく排水放熱部品１４の温度を下げることができる。
【００２６】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００２７】
１  目元冷熱パック装置
１１  水袋
１２  冷熱伝導部品
１３  冷却部品
１４  排水放熱部品
１４１  伝導体
１４２  排水管
１５  ヘッドバンド
１５１  第一バンド
１５１１  オス部品
１５２  第二バンド
１５２１  メス部品
１６  プロテクトケース
１７  振動モーター
１７１  導線
１８  導熱シート
１９  ポンプ
２  温度コントロールタンク
２１  温度コントロールユニット
２２  貯水室
２３  放熱室
２４  収納室
２４１  アーチ面
２５  蓋
２５１  ハンドル
２６  排気孔
【図１】
0003186317.tif 000003
【図２】
0003186317.tif 000004
【図３】
0003186317.tif 000005
【図４】
0003186317.tif 000006
【図５】
0003186317.tif 000007
【図６】
0003186317.tif 000008
【図７】
0003186317.tif 000009
【図８】
0003186317.tif 000010
【手続補正書】
【提出日】平成25年8月1日(2013.8.1)
【手続補正１】
【補正対象書類名】実用新案登録請求の範囲
【補正対象項目名】請求項４
【補正方法】変更
【補正の内容】
【請求項４】
前記ヘッドバンドは第一バンドおよび第二バンドを含み、該第一、第二バンドをプロテクトケースの両サイドに設置し、第一バンドの末端に一つのオス部品、第二バンドのオス部品に対応する場所に一つのメス部品を設置し、オス部品およびメス部品は互いに嵌合し、且つプロテクトケースの側面でコイル状態を形成し、該オス部品およびメス部品は面ファスナーを使用することを特徴とする請求項２記載の目元マッサージ器の構造。